(57)【要約】【課題】建築物の屋根に葺設される鋼板製屋根建材どうしの接合に使用され、冬場であっても屋内側の部品表面に結露を発生させないねじ締結装置を提供する。【解決手段】頭部１１と回転工具の係合部１２を有する螺軸２に、開脚金具７、筒状楔体６、パッキン５、座金４を、螺軸２に挿通し、ナット３を螺合して組み立てられたねじ締結装置１の、開脚金具７の外周部と螺軸２の頭部１１の表面に、静電植毛加工によって短繊維を吸着させた断熱面１５、１６を設けたり、筒状楔体６の外周部、開脚金具７の外周部と螺軸２の頭部１１に袋状の弾性断熱材１７を被せて密着させることで、開脚金具７と螺軸２の頭部１１の表面が屋内の暖気と遮断され、開脚金具７と螺軸２の頭部１１の表面に結露が発生するのを防ぐので、結露に起因する螺軸と開脚金具の錆びの発生を防止し、美観を損ねたり、ねじ締結装置の締結能力を大幅に損なったり、そのために雨漏りを発生させるような事故を防ぐことができる。【選択図】  図１
2004257548.tif 000002
【特許請求の範囲】
【請求項１】
一端に頭部を有し、他端に回転工具の係合部を有する螺軸に、金属製円管の一方の端面を鋭利端とすると共に、前記鋭利端の端面から縦裂溝を切穿して複数の脚片に分裂した開脚金具と、該開脚金具に隣接して前記螺軸に摺動可能に套嵌され且つ外周に前記開脚金具の鋭利端に係合して楔作用をなすテーパ部を有する筒状楔体と、前記螺軸に摺動可能な中心穴を備えた円盤状防水パッキンと、前記防水性パッキンの外形より大径の金属製座金を、前記螺軸の回転工具の係合部側から所定の順で挿通した後、締付ナットを前記螺軸に螺合して組み立てられたねじ締結装置において、少なくとも前記開脚金具の外周部と螺軸の頭部に、断熱材を密着させたことを特徴とするねじ締結装置。
【請求項２】
断熱材が前記開脚金具の外周部と螺軸の頭部の表面に隙間無く、短繊維を吸着させて成ることを特徴とする請求項１に記載のねじ締結装置。
【請求項３】
断熱材が前記筒状楔体の外周部、および前記開脚金具の外周部と螺軸の頭部に袋状の弾性断熱材を被せて密着させて成ることを特徴とする請求項１に記載のねじ締結装置。
【発明の詳細な説明】
【０００１】
【発明の属する技術分野】
本発明は建築物に葺設される鋼板製屋根建材の重なり部の締結に使用される、ねじ締結装置の改良に関する。
【０００２】
【従来の技術】
建築物の屋根に葺設される鋼板製屋根建材は主に長尺の薄鉄板を長手方向に複数の山形や波型に成形し、屋根裏側に当る面に樹脂製の断熱材を貼り付けたものが一般的であり、建築物の屋根に、前記のように成形された鋼製屋根建材を両端の１山または２山分、重ねなから並べて葺設していく。
そしてその重なり部に貫通穴を孔け、実公昭５４−１８６１４や実開昭５８−２４５１１のようになどに提案されている、ねじ締結装置を屋外側から挿通し、電動工具を使って、ねじ締結装置の螺軸を回転させ、開脚金具の複数の脚片を開脚させ、脚片の上端面を鋼製屋根建材の屋根裏側の面に圧接させることで、建材どうしを締結していた。
【０００３】
【発明が解決しようとする課題】
しかしながら、このように締結された後の、ねじ締結装置において、回転工具の係合部を有する螺軸の一端は、室外に位置し、頭部を有する他端と開脚金具は屋根裏側に位置するため、屋内外の温度差の激しい時期には、この金属製螺軸を通して屋外の冷気が、螺軸頭部を有する他端と、その螺軸に接している開脚金具に伝わり、螺軸の頭部と開脚金具の表面に結露を生じることがあった。
この結露により、螺軸と開脚金具に錆びが発生し、美観を損ねたり、ねじ締結装置の締結能力を大幅に損なうこととなり、雨漏りを発生させる原因となった。
本発明は、室内外の温度差の激しい時期にも、螺軸の頭部と開脚金具の表面に結露を生じさせないねじ締結装置を提供することにある。
【０００４】
【課題を解決するための手段】
上記のような課題を解決するため、請求項１の発明は、一端に頭部を有し、他端に回転工具の係合部を有する螺軸に、金属製円管の一方の端面を鋭利端とすると共に前記鋭利端から縦裂溝を切穿して複数の脚片に分裂した開脚金具と、該開脚金具に隣接して前記螺軸に摺動可能に套嵌され且つ外周に前記開脚金具の鋭利端に係合して楔作用をなすテーパ部を有する筒状楔体と、前記螺軸に摺動可能な中心穴を備えた円盤状防水パッキンと、前記防水性パッキンの外形より大径の金属製座金を、前記螺軸の回転工具の係合部側から所定の順で挿通した後、締付ナットを前記螺軸に螺合して組み立てられたねじ締結装置において、前記開脚金具の外周部と螺軸の頭部に、断熱材を密着させた構成を採用したものである。
【０００５】
請求項２の発明は、請求項１に記載のねじ締結装置において、前記開脚金具の外周部と螺軸の頭部の表面に隙間無く、静電植毛加工によって短繊維を吸着させた構成を採用したものである。
【０００６】
請求項３の発明は、請求項１に記載のねじ締結装置において、前記プラスチック製筒状楔体の外周部、および前記開脚金具の外周部と螺軸の頭部に袋状の弾性断熱材を被せて密着させた構成を採用したものである。
【０００７】
【発明の実施の形態】
以下、この発明の実施の形態を図示例と共に説明する。
図１に示すように、ねじ締結装置１は、一端に頭部１１を有し、他端に回転工具の係合部１２を有する螺軸２に、金属製円管の上端面を鋭利端１３とすると共に上端面から縦裂溝を切穿して複数の脚片１４に分裂した開脚金具７と、開脚金具７に隣接して前記螺軸に摺動可能に套嵌され且つ外周に前記開脚金具７の鋭利端１３に係合して楔作用をなすテーパ部を有するプラスチック製筒状楔体６と、前記螺軸２に摺動可能な中心穴を備えた円盤状防水パッキン５と、防水性パッキン５の外形より大径の金属製座金４を、前記螺軸の回転工具の係合部１２側から順次挿通した後、締付ナット３を前記螺軸２に螺合して組み立てられている。
そして、開脚金具７の外周部と螺軸２の頭部１１の表面に隙間無く、静電植毛加工によって短繊維を吸着させ、断熱面１５、１６を成形している。
【０００８】
本発明のねじ締結装置１は上記のような構成であり、図２に示すように、建築物の屋根に葺設された屋根裏側に当る面に樹脂製の断熱材２３を貼り付けられた、長手方向に複数の山形に成形された長尺の鋼板製屋根建材２１の重なり部に貫通穴２２を孔け、ねじ締結装置１を屋外側から挿通し、図示しない電動工具を螺軸２の係合部１２に係合させ、螺軸２を回転させることで、開脚金具７の複数の脚片１４を開脚させ、脚片の鋭利端１３を鋼製屋根建材の屋根裏側の面の断熱材２３に圧接させることで、鋼板製屋根建材２１、２１′を接合する。このように重なり部の長尺方向に所定の間隔でねじ締結装置１を取付けていくことで複数の鋼板製屋根建材１２は接合される。
【０００９】
ねじ締結装置１を使用して接合された鋼板製屋根建材２１が建築物の屋根に葺設された後、寒さの厳しい時期には、冷気が屋外に位置するねじ締結装置１の螺軸２を伝って、屋内側に位置する、螺軸２の頭部１１、および螺軸２と接する金属製の開脚金具７を冷やすが、開脚金具７の外周部と螺軸２の頭部１１の表面には断熱面１５、１６を設けたことによって、頭部１１と金属製の開脚金具７の表面が屋内の暖気と接することが無いため、屋内温度との差によって、頭部１１と開脚金具７の表面に結露が発生することを防ぐ。
【００１０】
また、第２の実施例を示した図３、図４のように、プラスチック製筒状楔体６′の外周部、および開脚金具７′の外周部と螺軸２′の頭部１１′に袋状の弾性断熱材１７を被せて密着させることで、ねじ締結装置１′が締結完了後には、開脚した開脚金具７′と筒状楔体６′によってなる空間２４をも屋内の暖気と遮断されるため、結露防止効果はより向上する。
【００１０】
【発明の効果】
以上のように、この発明によると、一端に頭部、他端に回転工具の係合部を有する螺軸に、金属製の複数の脚片に分裂した開脚金具、プラスチック製筒状楔体、円盤状防水パッキン、および金属製座金を、螺軸の回転工具の係合部側から順次挿通し、締付ナットを前記螺軸に螺合して組み立てられたねじ締結装置において、開脚金具の外周部と螺軸の頭部の表面に隙間無く、静電植毛加工によって短繊維を吸着させた断熱面を設けたり、筒状楔体の外周部、および前記開脚金具の外周部と螺軸の頭部に袋状の弾性断熱材を被せて密着させることで、屋外の寒気が羅軸を伝わって冷やされた開脚金具の外周部と螺軸の頭部の表面が屋内の暖気と遮断されるので、開脚金具の外周部と螺軸の頭部の表面に結露が発生するのを防ぎ、結露に起因する螺軸と開脚金具の錆びの発生を防止でき、美観を損ねたり、ねじ締結装置の締結能力を大幅に損なったり、そのために雨漏りを発生させるような事故を防ぐことができる。
【図面の簡単な説明】
【図１】本発明の第１の実施例の側面図
【図２】本発明の第１の実施例の施工側面図
【図３】本発明の第２の実施例の側面図
【図４】本発明の第２の実施例の施工側面図
【図５】従来例の側面図
【図６】従来例の実施例の施工側面図
【符号の説明】
１    ねじ締結装置
２    螺軸
３    ナット
４    座金
５    パッキン
６    楔体
７    開脚金具
１１    頭部
１２    係合部
１３    鋭利部
１４    脚部
１５    断熱面
１６    断熱面
１７    断熱材
２１    建材
２２    穴
２３    断熱材
２４    空間
【図１】
2004257548.tif 000003
【図２】
2004257548.tif 000004
【図３】
2004257548.tif 000005
【図４】
2004257548.tif 000006
【図５】
2004257548.tif 000007
【図６】
2004257548.tif 000008